(57)【要約】【課題】基板上における専有面積を小さくすることが可能なコネクタを提供する。【解決手段】コネクタハウジング２、及びコネクタハウジングに取り付けられる複数の端子５を備え、複数の端子５のそれぞれに相手側端子が電気的に接続される、基板に実装されるコネクタ１を対象とする。端子５は、相手側端子に接触する部分である接点部を有するコンタクト部と、コンタクト部と他の部分を介して一体に設けられ又はコンタクト部と一体に設けられ、基板に半田付けされる部分であるリード部４１，５１，５３とを有し、リード部４１，５１，５３は、基板に実装された状態のコネクタ１を基板に垂直な方向から視て、コネクタハウジング２の外縁よりも内側に配置されている。【選択図】図２
2018147575.tif 000002
【特許請求の範囲】
【請求項１】
コネクタハウジング、及び該コネクタハウジングに取り付けられている複数の端子を備え、複数の前記端子のそれぞれに相手側端子が電気的に接続される、基板に実装されるコネクタであって、
前記端子は、
前記相手側端子に接触する部分である接点部を有するコンタクト部と、
前記コンタクト部と他の部分を介して一体に設けられ又は前記コンタクト部と一体に設けられ、前記基板に半田付けされる部分であるリード部と、
を有し、
各前記リード部は、前記基板に実装された状態の前記コネクタを前記基板に垂直な方向から視て、前記コネクタハウジングの外縁よりも内側に配置されていることを特徴とする、コネクタ。
【請求項２】
請求項１に記載のコネクタにおいて、
前記コンタクト部は、前記相手側端子の抜去方向へ向かって延びるように形成され、
前記接点部は、前記コンタクト部の先端部に形成され、
前記端子は、
前記コンタクト部と間隔を空けて該コンタクト部よりも前記基板側に配置されていて、前記抜去方向へ向かって延びるように設けられていて、前記コネクタハウジングに圧入されている延出部と、
前記コンタクト部の基端部と前記延出部の基端部とを連結する連結部と、
を有していることを特徴とする、コネクタ。
【請求項３】
請求項２に記載のコネクタにおいて、
複数の前記端子は、第１端子及び第２端子を有し、
前記第１端子の前記リード部の位置と、前記第２端子の前記リード部の位置とは、前記第１端子及び前記第２端子が前記コネクタハウジングに取り付けられた状態において、前記コネクタに対して前記相手側端子を挿抜する方向である挿抜方向においてずれていることを特徴とする、コネクタ。
【請求項４】
請求項３に記載のコネクタにおいて、
複数の前記端子は、第３端子を更に有し、
前記第３端子の前記リード部の位置は、前記第３端子が前記コネクタハウジングに取り付けられた状態において、前記第１端子の前記リード部の位置及び前記第２端子の前記リード部の位置の双方に対して前記挿抜方向においてずれていることを特徴とする、コネクタ。
【請求項５】
請求項４に記載のコネクタにおいて、
前記第１端子の前記リード部、前記第２端子の前記リード部、及び前記第３端子の前記リード部、のうちの少なくとも１つは、前記延出部の先端部から前記基板側へ延びていることを特徴とする、コネクタ。
【請求項６】
請求項３から請求項５のいずれか１項に記載のコネクタにおいて、
前記コネクタハウジングは、複数の前記端子の配列方向において隣接する一対の前記端子の間に設けられた区画壁を更に有し、
前記区画壁は、前記延出部よりも前記基板側まで延びていることを特徴とする、コネクタ。
【発明の詳細な説明】
【技術分野】
【０００１】
本発明は、相手側端子が接続される端子を有するコネクタに関する。
【背景技術】
【０００２】
例えば、特許文献１では、該特許文献１の図１及び図６を参照して、第１コンタクト３０の第１端子部３６と第２コンタクト４０の第２端子部４４とが前後方向にずれて配置されている。こうすると、端子間距離を確保しつつ、左右方向（コネクタの幅方向）における第１端子部３６と第２端子部４４との距離を短くすることが可能となる。そうすると、基板上におけるコネクタの専有面積を小さくすることができる。
【先行技術文献】
【特許文献】
【０００３】
【特許文献１】特許第５３６７１２２号明細書
【発明の概要】
【発明が解決しようとする課題】
【０００４】
しかしながら、特許文献１のような構成を有するコネクタであっても、基板上におけるコネクタの専有面積の観点で不十分な場合がある。
【０００５】
本発明は、上記課題を解決するためのものであり、その目的は、基板上における専有面積を小さくすることが可能なコネクタを提供することである。
【課題を解決するための手段】
【０００６】
（１）上記課題を解決するために、この発明のある局面に係るコネクタは、コネクタハウジング、及び該コネクタハウジングに取り付けられている複数の端子を備え、複数の前記端子のそれぞれに相手側端子が電気的に接続される、基板に実装されるコネクタであって、前記端子は、前記相手側端子に接触する部分である接点部を有するコンタクト部と、前記コンタクト部と他の部分を介して一体に設けられ又は前記コンタクト部と一体に設けられ、前記基板に半田付けされる部分であるリード部と、を有し、各前記リード部は、前記基板に実装された状態の前記コネクタを前記基板に垂直な方向から視て、前記コネクタハウジングの外縁よりも内側に配置されている。
【０００７】
この構成によれば、基板に半田付けされるリード部が、基板に実装された状態のコネクタを該基板に垂直な方向から視た場合におけるコネクタハウジングの外縁よりも、内側に配置される。こうすると、例えばリード部がコネクタハウジングの外縁よりも外側に配置される場合と比べて、基板上におけるコネクタの専有面積を小さくすることができる。
【０００８】
従って、この構成によると、基板上における専有面積を小さくすることが可能なコネクタを提供できる。
【０００９】
（２）好ましくは、前記コンタクト部は、前記相手側端子の抜去方向へ向かって延びるように形成され、前記接点部は、前記コンタクト部の先端部に形成され、前記端子は、前記コンタクト部と間隔を空けて該コンタクト部よりも前記基板側に配置されていて、前記抜去方向へ向かって延びるように設けられていて、前記コネクタハウジングに圧入されている延出部と、前記コンタクト部の基端部と前記延出部の基端部とを連結する連結部と、を有している。
【００１０】
この構成によれば、端子の一部である延出部がコネクタハウジングに対して圧入されている。これにより、コネクタハウジングに対して端子を取り付けて固定することができる。
【００１１】
また、この構成では、コンタクト部の基端部が、連結部を介して、コネクタハウジングに対して固定される部分である延出部と繋がっている。そして、この構成では、コンタクト部と延出部とが、隙間を空けて設けられている。このような構成にすると、コンタクト部における基端部を支点として接点部を撓ませることが可能となるため、コンタクト部のバネ性を確保することができる。言い換えれば、この構成によれば、コンタクト部のバネ性を確保しつつ、基板上におけるコネクタの専有面積を小さくできる。
【００１２】
（３）更に好ましくは、複数の前記端子は、第１端子及び第２端子を有し、前記第１端子の前記リード部の位置と、前記第２端子の前記リード部の位置とは、前記第１端子及び前記第２端子が前記コネクタハウジングに取り付けられた状態において、前記コネクタに対して前記相手側端子を挿抜する方向である挿抜方向においてずれている。
【００１３】
例えば、複数の端子がコネクタハウジングに取り付けられた状態において、複数の端子のリード部が一列に並んでいると、リード部が基板のランドに半田付けされた状態における隣接するランド間の距離（沿面距離）を十分に長くできない場合がある。
【００１４】
この点につき、この構成によれば、第１端子のリード部と第２端子のリード部とが、相手側端子の挿抜方向に対してずれている。こうすると、コネクタハウジングに対して第１端子及び第２端子を交互に配列することにより、リード部が一列に並んでいる場合と比べて、基板の沿面距離を長くすることができる。
【００１５】
（４）更に好ましくは、複数の前記端子は、第３端子を更に有し、前記第３端子の前記リード部の位置は、前記第３端子が前記コネクタハウジングに取り付けられた状態において、前記第１端子の前記リード部の位置及び前記第２端子の前記リード部の位置の双方に対して前記挿抜方向においてずれている。
【００１６】
この構成によれば、コネクタハウジングに対して、第１端子、第２端子、第３端子、第１端子、第２端子、第３端子、…と繰り返されるように配列することにより、リード部が一列に並んでいる場合と比べて、基板の沿面距離をより長くすることができる。
【００１７】
（５）更に好ましくは、前記第１端子の前記リード部、前記第２端子の前記リード部、及び前記第３端子の前記リード部、のうちの少なくとも１つは、前記延出部の先端部から前記基板側へ延びている。
【００１８】
この構成では、コンタクト部の基端部と延出部の基端部とが連結部によって連結されている構成において、延出部の先端部にリード部が設けられている。こうすると、リード部において半田付けされる部分から接点部までの経路に、相手側端子の挿抜方向に沿って往復するような経路が含まれることとなる。これにより、リード部において半田付けされる部分から接点部までの経路の長さを長くできるため、半田付けの際にフラックスが接点部まで上がってきてしまう可能性を低くすることができる。
【００１９】
（６）好ましくは、前記コネクタハウジングは、複数の前記端子の配列方向において隣接する一対の前記端子の間に設けられた区画壁を更に有し、前記区画壁は、前記延出部よりも前記基板側まで延びている。
【００２０】
例えば、延出部の方が区画壁よりも基板側へ延びている場合、隣接する端子間の沿面距離は、隣接する端子間の距離と等しくなる。これに対して、この構成のように、区画壁の方が延出部よりも基板側へ延びている場合、その分、隣接する端子間の沿面距離を長くすることができる。
【発明の効果】
【００２１】
本発明によれば、基板上における専有面積を小さくすることが可能なコネクタを提供できる。
【図面の簡単な説明】
【００２２】
【図１】本発明の実施形態に係るコネクタを上方から視た斜視図であって、図１（Ａ）は押さえカバーが閉じている状態を示す図、図１（Ｂ）は押さえカバーが開いている状態を示す図、である。
【図２】図１に示すコネクタを下方から視た斜視図である。
【図３】図１に示すコネクタの平面図である。
【図４】ＦＦＣが接続された状態におけるコネクタの縦断面図であって、図４（Ａ）は第１端子が一番手前側に見えている状態を示す図、図４（Ｂ）は第２端子が一番手前側に見えている状態を示す図、図４（Ｃ）は第３端子が一番手前側に見えている状態を示す図、である。
【図５】コネクタが実装された基板を下方から視た図であって、図５（Ａ）は斜視図、図５（Ｂ）は底面図である。
【図６】第１端子を示す図であって、図６（Ａ）は斜視図、図６（Ｂ）は正面図である。
【図７】第２端子を示す図であって、図７（Ａ）は斜視図、図７（Ｂ）は正面図である。
【図８】第３端子を示す図であって、図８（Ａ）は斜視図、図８（Ｂ）は正面図である。
【図９】図９（Ａ）は、実施形態に係るコネクタの横断面図の一部を拡大して示す図であって、図３のＩＸＡ−ＩＸＡ線における断面の一部の拡大図である。また、図９（Ｂ）は、変形例に係るコネクタの横断面図の一部を拡大して示す図であって、図９（Ａ）に対応する図である。
【発明を実施するための形態】
【００２３】
以下、本発明を実施するための形態について図面を参照しつつ説明する。本発明は、コネクタに広く適用できる。
【００２４】
図１は、本発明の実施形態に係るコネクタを上方から視た斜視図であって、図１（Ａ）は押さえカバーが閉じている状態を示す図、図１（Ｂ）は押さえカバーが開いている状態を示す図、である。また、図２は、図１に示すコネクタ１を下方から視た斜視図である。また、図３は、図１に示すコネクタ１の平面図である。また、図４は、ＦＦＣ６０が接続された状態におけるコネクタ１の縦断面図であって、図４（Ａ）は第１端子６が一番手前側に見えている状態を示す図、図４（Ｂ）は第２端子７が一番手前側に見えている状態を示す図、図４（Ｃ）は第３端子８が一番手前側に見えている状態を示す図、である。また、図５は、コネクタ１が実装された基板７０を下方から視た図であって、図５（Ａ）は斜視図、図５（Ｂ）は底面図である。
【００２５】
なお、各図において、説明の便宜上、前と記載された矢印が指示する方向を前側又は前方と称し、後と記載された矢印が指示する方向を後側又は後方と称し、右と記載された矢印が指示する方向を右側と称し、左と記載された矢印が指示する方向を左側と称し、上と記載された矢印が指示する方向を上側又は上方と称し、下と記載された矢印が指示する方向を下側又は下方と称する。前方は、コネクタ１に接続されたフレキシブルフラットケーブル６０（以下、単にＦＦＣ６０と称する場合もある）を該コネクタ１から抜去する方向に対応する。また、後方は、ＦＦＣ６０をコネクタ１に挿入する方向に対応する。すなわち、前後方向は、ＦＦＣ６０の挿抜方向に対応する。
【００２６】
［コネクタの全体構成］
本実施形態に係るコネクタ１は、いわゆるＦＦＣ用コネクタであって、ＦＦＣ６０を接続可能なコネクタである。コネクタ１は、コネクタハウジング２と、補強タブ３と、押さえカバー４と、複数の端子５とを有し、これらが互いに組み立てられることにより構成されている。本実施形態に係るコネクタ１は、例えば一例として、ＦＦＣ６０側に接続されたテレビの電源基板を、コネクタ１が実装された基板７０に形成されたプリント配線を介してテレビの内部回路に電気的に接続するために用いられる。
【００２７】
［コネクタハウジングの構成］
コネクタハウジング２は、上下方向に薄い扁平な長方形状に形成された絶縁性の部材である。コネクタハウジング２は、左右方向に細長い形状を有していて、左右方向において等間隔に複数の（本実施形態の場合、１２本の）端子５を収容可能に構成されている。
【００２８】
コネクタハウジング２は、後部１０及び前部１１を有し、これらが一体に構成されている。
【００２９】
後部１０は、コネクタハウジング２の後側を構成する部分であって、左右方向に細長く且つ上下方向に扁平な部分である。後部１０の上部における前側の部分の左右両端部には、それぞれ、押さえカバー４の軸部３３を下側から受ける受け部１２が形成されている。この受け部１２では、円筒状に形成された軸部３３が摺動しながら回転する。これにより、コネクタハウジング２に対して押さえカバー４を開閉することができる。
【００３０】
また、後部１０には、該後部１０の前面における左右方向両端部分から後方へ延びる補強タブ用スリット１３が形成されている。この補強タブ用スリット１３は、前方から視て上下方向に細長い形状を有していて、後方へ延びるように形成されている。
【００３１】
前部１１は、底壁部１５と、２つの側壁部１６、２つの上壁部１７とを有し、これらが一体に形成されている。底壁部１５は、後部１０の前面における下側の部分から前方へ延びるように形成された部分である。２つの側壁部１６は、それぞれ、底壁部１５の左右方向両端の縁部から上方に延びるように形成された、左右方向に厚みを有する壁状の部分として設けられている。各上壁部１７は、２つの側壁部１６のそれぞれに対応して設けられている。各上壁部１７は、上下方向に薄い壁状の部分であって、側壁部１６からやや内側へ延びるように形成されている。これにより、上壁部１７は、底壁部１５における右側の部分及び左側の部分を、上方から覆っている。
【００３２】
上述した底壁部１５、２つの側壁部１６、及び２つの上壁部１７によって囲まれた部分は、前方からＦＦＣ６０が挿入されて該ＦＦＣ６０の先端側の部分が収容される収容部１８として設けられる。なお、底壁部１５の上面における前側の部分には、なだらかに下方へ傾斜する傾斜面１５ａが形成されている。これにより、ＦＦＣ６０をスムーズに収容部１８へ挿入することができる。
【００３３】
また、コネクタハウジング２には、各端子５が圧入される１２個の端子用スリット２０が形成されている。各端子用スリット２０は、左右方向に薄いスリット状に形成されている。これら複数の端子用スリット２０は、左右方向に等間隔に形成されている。各スリット２０は、同じ形状を有している。
【００３４】
各スリット２０は、図４を参照して、第１スリット部２１と、第２スリット部２２と、第３スリット部２３と、第４スリット部２４、及び第５スリット部２５を有している。
【００３５】
第１スリット部２１は、コネクタハウジング２における下側の部分に形成されている。第１スリット部２１は、コネクタハウジング２の後面から前方へ延びるスリット状に形成されていて、後方及び下方に開口している。
【００３６】
第２スリット部２２は、コネクタハウジング２における後側の部分に形成されている。第２スリット部２２は、第１スリット部２１の後側の部分から上方へ延びるように形成されている。これにより、第２スリット部２２の下側と第１スリット部２１の後側とが連通している。第２スリット部２２は、後方に開口している。
【００３７】
第３スリット部２３は、コネクタハウジング２における上側の部分に形成されている。第３スリット部２３は、第２スリット部２２の上側の部分から前方へやや延びるように形成されている。これにより、第３スリット部２３の後側と第２スリット部２２の上側とが連通している。第３スリット部２３の前後方向における長さは、第１スリット部２１の前後方向における長さの約半分程度である。第３スリット部２３は、後方に開口している。
【００３８】
第４スリット部２４は、第３スリット部２３における上側の部分から前方へ延びるように形成されている。これにより、第４スリット部２４の後側と第３スリット部２３の前側とが連通している。第４スリット部２４は、前方に開口している。
【００３９】
第５スリット部２５は、第４スリット部２４よりも下方に形成されている。第５スリット部２５は、第３スリット部２３における下側の部分から前方へ延びるように形成されている。これにより、第５スリット部２５の後側と第３スリット部２３の前側とが連通している。第５スリット部２５は、全体的に前方に開口し、且つ前側の部分については、上方にも開口している。
【００４０】
また、図２を参照して、上述のように複数のスリット２０が形成されることにより、左右方向において隣接するスリット２０の間に、区画壁２６が形成される。上述したように、各スリット２０には、各端子５が圧入されて固定される。言い換えれば、各端子５は、左右方向に隣接する一対の区画壁２６，２６によって挟んで保持される。更に言い換えれば、各端子５が一対の区画壁２６，２６によって挟んで保持された状態において、各区画壁２６は、端子５の配列方向（左右方向）において隣接する一対の端子５，５の間に設けられている。
【００４１】
［補強タブの構成］
補強タブ３は、所定形状を有する金属製のプレート状の部材である。補強タブ３は、その一部がコネクタハウジング２の補強タブ用スリット１３に圧入されることにより、コネクタハウジング２に対して固定される。そして、コネクタ１では、該コネクタ１を基板７０に実装する際、基板７０に、各端子５のリード部４１，５１，５３だけでなく、補強タブ３のリード部３ａも半田付けされる。これにより、基板７０に対してコネクタ１を強固に固定できる。
【００４２】
［押さえカバーの構成］
押さえカバー４は、コネクタハウジング２の収容部１８へ正常に挿入されたＦＦＣ６０を上方から押さえて固定するためのものである。このように押さえカバー４によってＦＦＣ６０を下方へ押さえつけることにより、ＦＦＣ６０の各導電部６１（相手側端子）を対応する各端子５のコンタクト部４５へ押し付けて密着させることができる。これにより、ＦＦＣ６０の各導電部６１と対応する各端子５とを電気的に確実に接触させることができる。
【００４３】
押さえカバー４は、開位置と閉位置との間を揺動可能に構成されている。具体的には、押さえカバー４は、図１（Ａ）に示す閉位置と、図１（Ｂ）に示す開位置との間を揺動することができる。
【００４４】
押さえカバー４は、図１（Ａ）及び図１（Ｂ）を参照して、基部３１と、平板部３２と、軸部３３とを有し、これらが絶縁性の樹脂によって一体に形成されている。
【００４５】
基部３１は、押さえカバー４における後側に設けられた部分であって、左右方向に延びるように設けられている。基部３１の左右方向における両端部には、各端部から外側へやや延びる円柱状の軸部３３が設けられている。各軸部３３は、コネクタハウジング２に形成された対応する受け部１２によって下側から受けられている。
【００４６】
また、基部３１には、コネクタハウジング２に取り付けられた各端子５のラッチ部４６に対応する位置に、貫通孔３５が形成されている。これらの貫通孔３５は、押さえカバー４がコネクタハウジング２に対して揺動しても、各端子５のラッチ部４６によって押さえカバー４の揺動動作が阻害されないような位置及び大きさに形成されている。一方、各貫通孔３５に各端子５のラッチ部４６が挿通されていることにより、押さえカバー４がコネクタハウジング２から外れてしまうことを防止できる。
【００４７】
平板部３２は、基部３１から前方へ延びる上下方向に薄い板状に形成された部分である。平板部３２は、押さえカバー４が閉位置に位置している状態において、コネクタハウジング２の底壁部１５を上方から覆っている。
【００４８】
［端子の構成］
図６は、第１端子６を示す図であって、図６（Ａ）は斜視図、図６（Ｂ）は正面図である。また、図７は、第２端子７を示す図であって、図７（Ａ）は斜視図、図７（Ｂ）は正面図である。また、図８は、第３端子８を示す図であって、図８（Ａ）は斜視図、図８（Ｂ）は正面図である。
【００４９】
各端子５は、板状の金属部材がプレス加工によって打ち抜かれることにより所定形状を有するように形成されている。端子５を構成する各部位の左右方向における厚みは、同じである。各端子５は、各端子５における所定の部位がコネクタハウジング２のスリット２０に圧入されることにより、コネクタハウジング２に対して取り付けられる。コネクタ１では、ＦＦＣ６０が該コネクタ１に適切に挿入された状態において、ＦＦＣ６０の各導電部６１が、対応する端子５に電気的に接続される。
【００５０】
本実施形態に係るコネクタ１は、複数の（具体的には１２本の）端子５を有している。これら複数の端子５は、３種類の端子で構成されている。具体的には、複数の端子５は、４つの第１端子６と、４つの第２端子７と、４つの第３端子８とで構成されている。
【００５１】
第１端子６は、３種類の端子６，７，８のうち、基板７０に対して半田付けされる部分であるリード部４１が最も後側に形成された端子である。第１端子６は、リード部４１と、第１水平延出部４２（延出部）と、垂直延出部４３と、第２水平延出部４４と、コンタクト部４５と、ラッチ部４６とを有し、これらが一体に形成されている。垂直延出部４３及び第２水平延出部４４は、コンタクト部４５の基端部である湾曲部４５ａと第１水平延出部４２の基端部４２ａとを連結する連結部４７として設けられている。
【００５２】
リード部４１は、上下方向に延びる棒状の部分である。リード部４１は、基板７０に形成されたリード部用貫通孔７１に挿通された状態で、そのリード部用貫通孔７１周りに形成されたランド７２に半田付けされる。本実施形態では、リード部４１は、コンタクト部４５と、他の部分（具体的には第１水平延出部４２、垂直延出部４３、及び第２水平延出部４４）を介して一体に設けられている。
【００５３】
第１水平延出部４２は、リード部４１における上側の部分から前方へ延びるように形成された部分である。第１水平延出部４２は、前後方向に細長い略長方形状に形成されている。第１水平延出部４２は、コンタクト部４５と上下方向に間隔を空けて、該コンタクト部４５よりも下側（基板７０側）に配置されている。第１水平延出部４２は、コネクタハウジング２のスリット２０に圧入されて固定される部分である。
【００５４】
垂直延出部４３は、第１水平延出部４２における後側の部分から上方へやや延びるように形成された部分である。垂直延出部４３の前後方向の寸法は、リード部４１の前後方向の寸法よりも大きい。
【００５５】
第２水平延出部４４は、垂直延出部４３における上側の部分から前方へ延びるように形成された部分である。第２水平延出部４４は、前後方向にやや長い長方形状に形成されている。第２水平延出部４４の前後方向の寸法は、第１水平延出部４２の前後方向の寸法よりも大きい。また、第２水平延出部４４の下端部には、下方へ突出する突出部４４ａが形成されている。この突出部４４ａは、第１端子６がスリット２０に取り付けられた状態において、第３スリット部２３における下側の面に引っ掛かった状態となる。これにより、スリット２０から第１端子６が抜けにくくなる。
【００５６】
コンタクト部４５は、第２水平延出部４４における前側の部分から前方へ向かって延びるように形成されている。コンタクト部４５は、湾曲部４５ａ、コンタクト本体部４５ｂ、及び接点部４５ｃを有し、これらが一体に形成されている。湾曲部４５ａは、第２水平延出部４４の前側における上側の部分から、下方且つ前方へ向かって湾曲しながら延びている部分である。この湾曲部４５ａは、コンタクト部４５の基端部として設けられている。コンタクト本体部４５ｂは、湾曲部４５ａの先端部から前方へ延びるように形成された部分である。コンタクト本体部４５ｂの先端には、上方へ突出する２つの突出部が形成されている。これらの突出部は、ＦＦＣ６０の導電部６１が接触する接点部４５ｃとして設けられている。
【００５７】
ラッチ部４６は、第２水平延出部４４の前側における上側の部分から前方へ向かって延びるように形成されている。ラッチ部４６の先端には、下方へ向かって曲がった鉤部４６ａが形成されている。この鉤部４６ａは、押さえカバー４がコネクタハウジング２に取り付けられた状態において、押さえカバー４の軸部３３に形成された貫通孔３５に挿通する。
【００５８】
第２端子７は、リード部５１と、第１水平延出部５２と、垂直延出部４３と、第２水平延出部４４と、コンタクト部４５と、ラッチ部４６とを有し、これらが一体に形成されている。これらのうち、垂直延出部４３、第２水平延出部４４、コンタクト部４５、及びラッチ部４６については、第１端子６と同じ形状のため、その説明を省略する。なお、第２端子７でも、第１端子６の場合と同様、垂直延出部４３及び第２水平延出部４４は、コンタクト部４５の基端部である湾曲部４５ａと第１水平延出部５２の基端部５２ａとを連結する連結部４７として設けられている。
【００５９】
リード部５１は、第１端子６が有するリード部４１と同様、上下方向に延びる棒状の部分であって、基板７０に形成されたリード部用貫通孔７１に挿通された状態でランド７２に半田付けされる。しかし、第２端子７のリード部５１は、第１端子６のリード部４１の場合と異なり、第１水平延出部５２の先端部５２ｂから下方へ（基板側へ）延びるように形成されている。リード部５１は、コンタクト部４５を基準とした場合において、第１端子６のリード部４１よりも前方に設けられている。
【００６０】
第１水平延出部５２は、リード部４１における上側の部分と垂直延出部４３における下側の部分とを連結する部分である。第１水平延出部５２は、リード部５１における上側の部分から後方へ延びるように形成されている。第１水平延出部５２は、第１端子６が有する第１水平延出部４２の場合と同様、前後方向に細長い略長方形状に形成されている。
【００６１】
第３端子８は、リード部５３と、第１水平延出部５４と、垂直延出部４３と、第２水平延出部４４と、コンタクト部４５と、ラッチ部４６とを有し、これらが一体に形成されている。これらのうち、垂直延出部４３、第２水平延出部４４、コンタクト部４５、及びラッチ部４６については、第１端子６及び第２端子７と同じ形状のため、その説明を省略する。なお、第３端子８でも、第１端子６の場合と同様、垂直延出部４３及び第２水平延出部４４は、コンタクト部４５の基端部である湾曲部４５ａと第１水平延出部５４の基端部５４ａとを連結する連結部４７として設けられている。
【００６２】
リード部５３は、第１端子６が有するリード部４１と同様、上下方向に延びる棒状の部分であって、基板７０に形成されたリード部用貫通孔７１に挿通された状態でランド７２に半田付けされる。しかし、第３端子８のリード部５３は、第１端子６のリード部４１の場合と異なり、第１水平延出部５４の先端部５４ｂから下方へ（基板側へ）延びるように形成されている。リード部５３は、コンタクト部４５を基準とした場合において、第１端子６のリード部４１、及び第２端子７のリード部５１よりも前方に設けられている。
【００６３】
第１水平延出部５４は、リード部５３における上側の部分と垂直延出部４３における下側の部分とを連結する部分である。第１水平延出部５４は、リード部５３における上側の部分から後方へ延びるように形成されている。第１水平延出部５４は、第２端子７が有する第１水平延出部５２の場合と同様、前後方向に細長い略長方形状に形成されている。しかし、第１水平延出部５４の前後方向における寸法は、第２端子７の第１水平延出部５２の前後方向における寸法よりも大きい。
【００６４】
［コネクタハウジングに対する各端子の取り付け位置について］
本実施形態に係るコネクタ１では、各端子６，７，８は、以下のような状態でスリット２０に収容されている。具体的には、第１端子６では、図４（Ａ）を参照して、第１水平延出部４２が第１スリット部２１に配置され、垂直延出部４３が第２スリット部２２に配置され、第２水平延出部４４が第３スリット部２３に配置され、ラッチ部４６が第４スリット部２４に配置され、コンタクト部４５が第５スリット部２５に配置される。
【００６５】
また、第２端子７では、図４（Ｂ）を参照して、第１水平延出部５２が第１スリット部２１に配置され、垂直延出部４３が第２スリット部２２に配置され、第２水平延出部４４が第３スリット部２３に配置され、ラッチ部４６が第４スリット部２４に配置され、コンタクト部４５が第５スリット部２５に配置される。
【００６６】
また、第３端子８では、図４（Ｃ）を参照して、第１水平延出部５４が第１スリット部２１に配置され、垂直延出部４３が第２スリット部２２に配置され、第２水平延出部４４が第３スリット部２３に配置され、ラッチ部４６が第４スリット部２４に配置され、コンタクト部４５が第５スリット部２５に配置される。
【００６７】
そして、本実施形態に係るコネクタ１では、図２を参照して、第１端子６、第２端子７、及び第３端子８は、コネクタハウジング２に形成された１２個のスリット２０に対して、以下のように収容される。具体的には、本実施形態では、左右方向に並ぶように形成された１２個のスリット２０に対して、左側から右側に向かって、各端子６，７，８が、第１端子６、第２端子７、第３端子８、第１端子６、第２端子７、第３端子８、第１端子６、第２端子７、第３端子８、第１端子６、第２端子７、第３端子８、の順に固定されている。
【００６８】
上述のように、３種類の端子６，７，８を、上述のような順序で各スリット２０に取り付けることにより、各リード部４１，５１，５３間の水平方向における距離を確保することができる。例えば、リード部が左右方向に一列に並ぶように配列されると、リード部の間隔は、左右方向におけるスリット２０の間隔と同じになるため、十分な距離を確保できず、基板の沿面距離が短くなってしまう。この点につき、本実施形態では、左右方向において隣接する各リード部４１，５１，５３が、左右方向だけでなく、前後方向にも離間している。言い換えれば、各リード部４１，５１，５３の位置と、他の種類のリード部４１，５１，５３の位置とは、各端子６，７，８がコネクタハウジング２に取り付けられた状態において、左右方向だけでなく、前後方向にもずれている。これにより、各リード部４１，５１，５３の間の距離を広げることができ、その結果、基板の沿面距離を長くすることができる。
【００６９】
また、上述のように各端子５がスリット２０に適切に取り付けられた状態において、各端子６，７，８のリード部４１，５１，５３は、図３を参照して、コネクタハウジング２の外縁２ａよりも内側に配置される。なお、図３では、図面の見やすさの観点から、太線の破線で図示されるコネクタハウジング２の外縁２ａを、実際のコネクタハウジング２の外縁よりも僅かに外側にずらして図示している。また、図３では、リード部４１，５１，５３を破線で示し、ドットハッチングを付している。
【００７０】
［基板］
本実施形態に係るコネクタ１が実装される基板７０には、コネクタハウジング２に取り付けられた状態の各端子６，７，８のリード部４１，５１，５３が挿通される複数の（本実施形態の場合、１２個の）リード部用貫通孔７１が形成されている。すなわち、各リード部用貫通孔７１の周囲に形成されたランド７２は、各端子６，７，８のリード部４１，５１，５３の位置と対応する位置に形成されている。
【００７１】
上述したように、コネクタ１では、左右方向において隣接するリード部４１，５１，５３は、左右方向だけでなく、前後方向においても離間している。こうすると、各ランド７２間の距離ｄ１，ｄ２，ｄ３（すなわち、基板７０の沿面距離）を広げることができる。
【００７２】
［効果］
以上のように、本実施形態に係るコネクタ１によれば、基板７０に半田付けされるリード部４１，５１，５３が、基板７０に実装された状態のコネクタ１を該基板７０に垂直な方向から視た場合におけるコネクタハウジング２の外縁２ａよりも、内側に配置される。こうすると、例えばリード部がコネクタハウジングの外縁よりも外側に配置される場合と比べて、基板上におけるコネクタの専有面積を小さくすることができる。
【００７３】
従って、コネクタ１によれば、基板上における専有面積を小さくすることが可能なコネクタを提供できる。
【００７４】
また、コネクタ１によれば、端子５の一部である第１水平延出部４２，５２，５４が、コネクタハウジング２に形成されたスリット２０の第１スリット部２１に対して圧入されている。これにより、コネクタハウジング２に対して端子５を取り付けて固定することができる。
【００７５】
また、コネクタ１では、コンタクト部４５の基端部として設けられた湾曲部４５ａが、連結部４７を介して、コネクタハウジング２に対して固定される部分である第１水平延出部４２，５２，５４と繋がっている。そして、コネクタ１では、コンタクト部４５と第１水平延出部４２，５２，５４とが、上下方向において隙間を空けて設けられている。このような構成にすると、コンタクト部４５における基端部を支点として接点部４５ｃを撓ませることが可能となるため、コンタクト部４５のバネ性を確保することができる。言い換えれば、コネクタ１によれば、コンタクト部４５のバネ性を確保しつつ、基板７０上におけるコネクタ１の専有面積を小さくできる。
【００７６】
また、コネクタ１によれば、第１端子６のリード部４１と第２端子のリード部５１とが、ＦＦＣ５０の挿抜方向に対してずれている。こうすると、コネクタハウジング２に対して第１端子６及び第２端子７を左右方向において交互に配列することにより、リード部が左右方向に沿って一列に並んでいる場合と比べて、基板の沿面距離を長くすることができる。
【００７７】
また、コネクタ１のように、コネクタハウジング２の左右方向に対して、第１端子６、第２端子７、第３端子８、第１端子６、第２端子７、第３端子８、…と繰り返されるように配列することにより、リード部が左右方向に沿って一列に並んでいる場合と比べて、基板の沿面距離をより長くすることができる。
【００７８】
また、コネクタ１の第２端子７及び第２端子８では、コンタクト部４５の湾曲部４５ａと第１水平延出部５２，５４の基端部５２ａ，５４ａとが連結部４７によって連結されている構成において、第１水平延出部５２，５４の先端部５２ｂ，５４ｂにリード部５１，５３が設けられている。こうすると、図７（Ｂ）及び図８（Ｂ）を参照して、リード部５１，５３において半田付けされる部分Ｐ１から接点部Ｐ２までの経路（図７（Ｂ）及び図８（Ｂ）では破線で図示）に、ＦＦＣ６０の挿抜方向（前後方向）に沿って往復するような経路が含まれることとなる。これにより、リード部５１，５３において半田付けされる部分Ｐ１から接点部Ｐ２までの経路の長さを長くできるため、半田付けの際にフラックスが接点部まで上がってきてしまう可能性を低くすることができる。
【００７９】
また、コネクタ１では、各端子６，７，８が圧入されて固定されるスリット２０が互いに同じ形状となっている。こうすると、基板７０においてランド７２の位置を変更しても、ある程度対応することが可能となる。具体的には、位置変更されたランド７２の位置に対応するように、左右方向における端子６，７，８の配列順序を変更したり、或いは各端子６，７，８において、前後方向におけるリード部４１，５１，５３の位置を変更することができる。言い換えれば、各端子６，７，８が圧入されるスリット２０の形状を互いに同じにすることで、基板７０に形成可能なパターン配線のレイアウトの自由度を上げることができる。
【００８０】
以上、本発明の実施形態について説明したが、本発明はこれらに限定されるものではなく、本発明の趣旨を逸脱しない限りにおいて種々の変更が可能である。
【００８１】
［変形例］
（１）図９（Ａ）は、上述した実施形態に係るコネクタ１の横断面図の一部を拡大して示す図であって、図３のＩＸＡ−ＩＸＡ線における断面の一部の拡大図である。また、図９（Ｂ）は、変形例に係るコネクタの横断面図の一部を拡大して示す図であって、図９（Ａ）に対応する図である。
【００８２】
上述した実施形態では、図９（Ａ）に示すように、各端子５の第１水平延出部４２，５２，５４（図９（Ａ）では、第１水平延出部５２，５４のみを図示している）は、区画壁２６よりも下方まで延びている。この場合、隣接する端子５，５の沿面距離は、ｄｈとなる。
【００８３】
これに対して、本変形例では、各区画壁２６ａは、各端子５の第１水平延出部４２，５２，５４よりも下方まで延びている。この場合、隣接する端子５，５の沿面距離は、ｄｈ＋２×ｄｖとなり、図９（Ａ）の場合よりも長くなる。
【００８４】
以上、本変形例のように、区画壁２６ａを第１水平延出部４２，５２，５４よりも下方へ延ばすことにより、その分、隣接する端子６，７，８間の沿面距離を長くすることができる。すなわち、コネクタの沿面距離を確保することができる。
【００８５】
（２）上述した実施形態及び変形例では、本発明をＦＦＣ用コネクタに適用する例を挙げて説明したが、これに限らず、本発明は、ＦＦＣ用コネクタ以外のコネクタに適用することもできる。
【００８６】
（３）上述した実施形態及び変形例では、コンタクト部４５とリード部４１，５１，５３とが連結部４７を介して一体化されている例を挙げて説明したが、これに限らない。具体的には、本発明は、コンタクト部とリード部とが直接繋がって一体化されている端子を有するコネクタに適用することもできる。
【産業上の利用可能性】
【００８７】
本発明は、コネクタに広く適用することができる。
【符号の説明】
【００８８】
１                    コネクタ
２                    コネクタハウジング
２ａ                  （コネクタハウジングの）外縁
５                    端子
６                    第１端子（端子）
７                    第２端子（端子）
８                    第３端子（端子）
４１，５１，５３      リード部
４５                  コンタクト部
４５ｃ                接点部
６１                  導電部（相手側端子）
７０                  基板
【図１】
2018147575.tif 000003
【図２】
2018147575.tif 000004
【図３】
2018147575.tif 000005
【図４】
2018147575.tif 000006
【図５】
2018147575.tif 000007
【図６】
2018147575.tif 000008
【図７】
2018147575.tif 000009
【図８】
2018147575.tif 000010
【図９】
2018147575.tif 000011